(57)【要約】照明パターンを表示するための装置および方法は、各々が様々な色の内の１または複数で所定の期間と頻度で照明できる、複数の照明領域（２２２，２２４，２２６および２２８）を含んでいる。装置および方法は、照明領域（２２２−２２８）の各々に結合されたプロセッサ（１０２）をさらに含み、プロセッサ（１０２）は活動化コマンドに応じて照明パターン（１０８）を実行することが可能である。照明パターン（１０８）は、照明信号（１１０，１１２）を通じて少なくとも１つの照明領域（２２２−２２８）の選択的な活動化および非活動化を提供し、照明パターン（１０８）の表示は装置（１００）の更なるレベルの個人化を提供する。
2006512852.tif 000002
【特許請求の範囲】
【請求項１】
携帯装置であって、
複数の照明領域；および
前記複数の照明領域の各々に結合されて動作するプロセッサであって、活動化コマンドに応じて、照明領域の少なくとも１つの選択的な活動化および非活動化を含む照明パターンを実行することができる、プロセッサ；
を備えた携帯装置。
【請求項２】
前記複数の照明領域が、１よりも多くの色で照明できる能力を提供する、請求項１に記載の携帯装置。
【請求項３】
様々な頻度で前記複数の照明領域を照明することができる、請求項１に記載の携帯装置。
【請求項４】
活動化コマンドのタイプを照明パターンのデータベースと比較することができ、かつ、プロセッサが該活動化コマンドのタイプに応じて選択された照明パターンを活動化することを提供する比較器；
をさらに備えた、請求項１に記載の携帯装置。
【請求項５】
プロセッサが、周囲ビートとテンポに基づいて、該ビートとテンポを有する特徴的なリズムを有する周囲ノイズに応じて、周囲照明パターンを生成するように、該周囲ノイズを受け取ることができる周囲ノイズ受信機；
をさらに備えた、請求項１に記載の携帯装置。
【請求項６】
照明パターンを表示する方法であって、
照明パターンを読み取る工程；および
前記照明パターンに応じて、複数の照明領域の内の少なくとも１つを第１の頻度および第１の色で活動化する工程；
から成る方法。
【請求項７】
前記照明パターンに応じて、複数の照明領域の内の少なくとも１つを第２の頻度および第２の色で活動化する工程；
をさらに含む、請求項６に記載の方法。
【請求項８】
照明パターンを読み取る工程の前に、照明パターン識別子および照明パターンの内の少なくとも１つを有する入力信号を受け取る工程；
をさらに含む、請求項６に記載の方法。
【請求項９】
前記照明パターン識別子が、発呼者識別子、メッセージ送信機識別子、アラーム、およびビートとテンポを有する周囲ノイズの内の少なくとも１つを含む、請求項８に記載の方法。
【請求項１０】
照明パターンを読み取る工程の前に、
通信サーバから照明パターンを受け取る工程；
照明パターンをメモリに格納する工程；および
照明パターンの活動との関連付けを提供する工程；
をさらに含む、請求項６に記載の方法。
【発明の詳細な説明】
【技術分野】
【０００１】
本発明は携帯電子装置に関し、より詳細には、照明パターンの視覚的表示と照明パターンをコンテンツとして使用する能力とによる電子装置の個人化（personalization）に関
する。
【背景技術】
【０００２】
携帯電話、ＰＤＡ、高度自動機能電話(smart phone)、ラップトップ・コンピュータ、
デスクトップ・コンピュータまたは電子的なユーザ対話を提供する他の適切な装置を始めとする、有線装置または無線装置の携帯装置の成長に伴って、携帯装置の個人化の提供についての成長が同時に存在する。例えば、セルラ電話技術では、電力消費の改良、通信能力の改良、および他の電子機能の改良のための傾向が存在するが、ユーザが自身の特定の電話を個人化することを可能にする傾向の増大も存在する。
【０００３】
携帯装置の個人化に対する１つの一般的なアプローチは、交換可能なカバーすなわちフェイスプレートを提供することである。例えばノキア（Nokia）社から入手可能なNokia 8290携帯電話は、ユーザに、電話に種々の色またはパターンを有する種々のフェイスプレ
ートを配置する能力を提供する。その上、ユーザは、選択したフェイスプレートに基づき、自身の携帯電話を個人化することも可能である。モトローラ（Motorola）社から入手可能なMotorola V.66携帯電話のような他の物理的に異なる装置も利用可能である。この装
置は、折り畳み式携帯電話（flip-phone）の上部の交換可能なフェイスクリップを与える。
【０００４】
個人化に対する別の一般的なアプローチは、例えば着呼、ボイスメール・メッセージまたは任意の他のタイプの通知のような入力信号を通知するために、聞き取れるように電話により表示された呼出し音である。携帯装置の現在の傾向には、ショートメッセージシステム（ＳＭＳ）、拡張メッセージシステム（ＥＭＳ）およびマルチメディアメッセージシステム（ＭＭＳ）のようなメッセージシステムと対話する能力が含まれる。現在、多くの携帯装置がユーザに、利用可能な呼出し音の内部ライブラリを提供している。ユーザは、区別を与えるために、特定の呼出し音を特定の入力信号に選択的に関連付けることが可能である。その結果、ユーザは特定の呼出し音を特定の発呼者識別子に関連付けることが可能である。さらに、ユーザには、商用インターネットベースのウェブサイトから選択的な呼出し音を購入する商業的な機会があり、その場合には、呼出し音がユーザの娯楽のために電話にシームレスにダウンロードされ得る。また、一部の携帯装置には、ユーザが選択されたトーンから成る個人化された呼出し音を構成することを可能にするコンポーザを提供するものもある。
【０００５】
携帯装置における個人化に関して新たに台頭している領域は、１または複数の発光ダイオード（ＬＥＤ）、バックライト、米国特許第５，０８７，９０６号に記述されているような光伝送路、携帯装置の表面で見ることが可能な当業者に理解される任意の他の適切な照明ディスプレイを始めとする、照明領域の選択的照明である。例えば、サムスン（Samsung）社から入手可能なSamsung R210は、前面に配置された単一のＬＥＤを提供し、その
単一ＬＥＤは着呼のような入力信号を示すために単一の赤色を照明する。別の例はモトローラ社から入手可能なMotorola C300携帯電話であり、この携帯電話は、電話が活動化さ
れた場合に、単一色で点灯する照明キーパッドを提供する。さらに別例は、非連続的な様式で点灯する複数のＬＥＤを有する、市販のNokia対応のフェイスプレートである。さら
に、アンテナを用いた情報の送信に応じて照明を提供する、アンテナ内またはアンテナ上に配置された１または複数のＬＥＤを有するアンテナも存在する。
【０００６】
そのため、携帯装置の選択的な照明に関して、携帯装置の周囲に配置されたランダムなＬＥＤ照明、入力信号または発信信号に応じて単一色かつ設定されたパターンで作動する制限された（timid）ＬＥＤ、もしくは予め決定された色での携帯装置の領域の全体的照
明のいずれかが現時点で存在している。
【発明を実施するための最良の形態】
【０００７】
照明パターンを表示するための方法および装置の実施態様は、以下の図面を参照すればより容易に理解されるだろう。
一般に、照明パターンを表示するための方法および装置は、複数の照明領域に結合されて動作するプロセッサを含んでいる。複数の照明領域の各々は、照明され得る装置上の任意のエリアを有する。プロセッサは活動化コマンドに応じて照明パターンを実行する。照明パターンは、１または複数の照明領域の選択的な活動化（activation）および非活動化(deactivation)のためにプロセッサに提供される、１または複数のコマンドを含んでいる。活動化コマンドは、アラームの作動を含むがそれに限定されない、装置によって行なわれる任意のタイプの予めプログラムされた活動であってよい。
【０００８】
より詳細には、図１は、プロセッサ１０２、第１の照明領域１０４、および第２の照明領域１０６を備えた携帯装置１００を示す。プロセッサ１０２は照明パターン１０８を受け取る。照明パターン１０８は、他の位置の中でも特に、メモリ（図示しない）または別のプロセッサ（図示しない）から提供され得る。プロセッサ１０２は、単一のプロセッサ、複数のプロセッサ、ＤＳＰ、マイクロプロセッサ、ＡＳＩＣ、状態マシン、またはソフトウェアや個別の論理を処理および実行可能な任意の他のインプリメンテーション、もしくはハードウェア、ソフトウェアおよび／またはファームウェアの任意の適切な組み合わせであってよいが、それらに限定されるわけではない。用語「プロセッサ」はソフトウェアを実行することができるハードウェアのみを指すものと解釈されるべきではなく、ＤＳＰハードウェア、ソフトウェアを格納するＲＯＭ、ＲＡＭ、および任意の他の揮発性または不揮発性記憶媒体を黙示的に含み得る。
【０００９】
１実施態様では、照明パターンは、初期化タグと、少なくとも３つの要素を有する１または複数の照明タグとを含み、少なくとも３つの要素の内の第１の要素はどの特定の１または複数の領域を照らすかに関するものであり、第２の要素は照明される領域に対する色であり、第３の要素は照明の時間に関するタイミングまたは頻度指標（indicator）であ
る。さらに、照明パターンは、２００２年１２月２３日が出願日である発明の名称が「照明パターンを構成するための方法および装置（METHOD AND APPARATUS FOR COMPOSING AN ILLUMINATION PATTERN）」の同時係属の米国特許出願出願番号第１０／３２９，０８９号に論じられているように、照明コンポーザから提供され得る。
【００１０】
プロセッサ１０２は、照明パターン１０８に応じて、第１の照明領域１０４に第１の照明信号１１０、または、第２の照明領域１０６に第２の照明信号１１２の少なくとも一方を提供する。照明信号１１０，１１２は、照明領域１０４，１０６を活動化させる出力を含み、さらには、照明領域１１０，１１２のための選択された色を提供する出力を含む。別の実施態様では、照明信号１１０または１１２は、照明領域によって受け取られる色および頻度情報を含んでよく、照明領域はその結果、所定の色を生成し、所定時間の間照明することが可能である。プロセッサ１０２は、照明パターン１０８に応じて、特定の頻度の照明信号１１０，１１２を提供し、その結果、所定の頻度で照明領域１０４，１０６を活動化し、かつ、照明領域１０４，１０６を非活動化する。
【００１１】
図２は、図１の照明パターン１０８のような照明パターンを表示する方法のステップを示す。方法はステップ１２０で始まり、ステップ１２２で照明パターンを読み取る。図１
に関して上述したように、照明パターン１０８はプロセッサ１０２により受け取られ、その後、プロセッサはエンコードされた照明パターンを読み取る。照明パターンを表示する方法の次のステップであるステップ１２４で、第１の頻度と第１の色で、１または複数の照明領域を活動化する。再び図１に関し、２つの照明領域１０４，１０６の内の少なくとも１つは照明信号１１０または１１２により活動化される。照明信号１１０または１１２は所定の期間提供され、指定された色を活動化するための出力信号を含んでいる。その後、照明パターンを表示する方法ステップ１２６で終了する。
【００１２】
図３は、照明パターンを表示する別の方法のステップを示す。方法はステップ１３０で始まり、ステップ１３２で照明パターンまたは照明パターン識別子のいずれかを有する入力信号を受け取る。入力信号は、ＳＭＳメッセージ、ＥＭＳメッセージ、ＭＭＳ、発呼者識別情報、ボイスメール通知、アラーム、または当業者に理解される携帯装置に提供されるか携帯装置により生成される任意の他の信号であってよい。１実施態様では、例えば、メッセージへの添付物として照明パターンが受け取られると、照明パターンはメッセージから抽出され、プロセッサ１０２に別々に提供され得る。入力信号が照明パターン識別子を含む実施態様では、識別子は参照テーブルまたはルックアップテーブルに提供され、その後、照明パターン識別子により識別された照明パターンが、例えばメモり位置から、検索され、その結果プロセッサ１０２に提供され得る。
【００１３】
以上に関わらず、方法の次のステップはステップ１３４で照明パターンを読み取ることである。１実施態様では、照明パターン１０８はプロセッサ１０２により読み取られる。照明パターン１０８に応じて、次のステップであるステップ１３６で、第１の頻度と第１の色で、少なくとも１つの照明領域を活動化する。図１に関して上述したように、プロセッサ１０２は、照明領域１０４または１０６の少なくとも一方に、照明信号１１０または１１２の少なくとも一方を提供する。方法はさらに、ステップ１３８で、第２の所定の色と第２の所定の時間で、符号１１０および／または１１２のような第２の選択された照明領域を活動化することを含む。一旦照明パターン１０８がプロセッサ１０２により実行されると、方法はステップ１４０で終了する。
【００１４】
図４は、プロセッサ１０２が第１の照明領域１０４、第２の照明領域１０６、第３の照明領域１５０、および第４の照明領域１５２に結合されて動作する、携帯装置１００の別の実施態様を示す。プロセッサ１０２はメモリ１５４から照明パターン１０８を受け取る。メモリ１５２は単一メモリ、複数のメモリ位置、共有メモリ、ＣＤ、ＤＶＤ、ＲＯＭ、ＲＡＭ、ＥＥＰＲＯＭ、光学記憶装置、またはデジタルデータを格納できる任意の他の不揮発性記憶媒体であってよいが、それらに限定されるわけではない。メモリは比較器１５６と結合されて動作し、比較器１５６は受信機１５８に結合されている。受信機１５８は、入力信号１６０を受け取り、その後、比較器１５６に入力信号１６２を提供することができる、任意のタイプのインプリメンテーションであってよい。  比較器１５６は、ハードウェアとソフトウェアのいずれで実現されてもよいが、入力信号１６２内に配置された照明パターン識別子を比較し、メモリ１５４に提供される照明要求信号１６４を生成する。メモリ１５４はプロセッサ１０２に選択された照明パターンを提供し、プロセッサ１０２はその後自身で照明パターン１０８を実行し得る。プロセッサ１０２は活動化信号１１０を第１の照明領域１０４に、第２の活動化信号１１２を第２の照明領域１０６に、第３の活動化信号１６６を第３の照明領域１０５に、および第４の活動化信号１６８を第４の照明領域１５２に提供することが可能である。図２および３に関して上述したように、プロセッサ１０２は少なくとも１つの選択された照明領域１０４，１０６，１５０および１５２を選択的に活動化および非活動化し、照明パターン１０８が完全に実行されるまで領域を活動化および非活動化し続ける。
【００１５】
１実施態様によれば、プロセッサ１０２は、照明パターン１０８に応じて、活動化信号
１１０，１１２，１６６および１６８を提供する。プロセッサ１０２は、選択された照明領域を特定の色で照明させることを可能にする出力信号を提供する。例えば、照明領域がＬＥＤである場合、プロセッサ１０２は赤色電源、緑色電源、および青色電源を提供し、これらの３つの電源の組み合わせが組み合わさって選択された色を形成する。この実施態様では、プロセッサ１０２は、さらに、所定の頻度に関して所定の期間の間、照明領域に出力を提供する。例えば、照明パターン１０８が、第１の照明領域１０４と第３の照明領域１５０が０．５秒の間隔の間緑色で照明されることを要する場合、プロセッサ１０２は緑色の表示を生成する出力コマンドを有する照明信号１１０および１６６を提供し、既知のＬＥＤまたは他の照明技術に従って、第１の照明領域１０４と第３の照明領域１５０の照明が０．５秒の間隔の間起こるように、電源が提供される。
【００１６】
図５は周囲モードで動作可能な携帯装置１００の実施態様を示す。携帯装置１００は、周囲ノイズ１７２を受け取る、マイクロホンを始めとする周囲受信機１７０を備えている。周囲ノイズ１７２は、ビートとテンポを有する音楽を演奏している大きな音を出している同好会または他の位置のような任意の環境ノイズから提供され得る。周囲の受信機１７０は、プロセッサ１７６に周囲ノイズ信号１７４を提供する。プロセッサ１７５は第１の照明領域１０４、第２の照明領域１０６、第３の照明領域１５０、および第４の照明領域１５２に結合されて動作する。プロセッサ１７６は、単一のプロセッサ、複数のプロセッサ、ＤＳＰ、マイクロプロセッサ、ＡＳＩＣ、状態マシン、またはソフトウェアや個別の論理を処理および実行可能な任意の他のインプリメンテーション、もしくはハードウェア、ソフトウェアおよび／またはファームウェアの任意の適切な組み合わせであってよいが、それらに限定されるわけではない。用語「プロセッサ」はソフトウェアを実行することができるハードウェアのみを指すものと解釈されるべきではなく、ＤＳＰハードウェア、ソフトウェアを格納するＲＯＭ、ＲＡＭおよび任意の他の揮発性または不揮発性記録媒体を暗示的に含み得る。
【００１７】
プロセッサ１７６は、周囲ノイズ信号１７４に応じて、周囲ノイズ１７２のビートおよびテンポに基づいて種々の照明領域を選択的に活動化および非活動化し得る。プロセッサ１７６は、周囲ノイズ１７２のビートおよびテンポに従って特定領域を選択的に活動化および／または非活動化するために、活動化信号１１０，１１２，１６６および／または１６８をランダムに生成し得る。
【００１８】
プロセッサ１７６は、異なる照明領域のための予め選択された色指定を有しても良いし、異なる色をランダムに選択してもよい。選択された照明領域の各々を照明するための頻度は、周囲ノイズ１７２のビートおよびテンポによって決定される。
【００１９】
図６は、照明パターンを表示する代替方法のステップを示す。方法はステップ１８０で始まり、ステップ１８２で通信サーバから照明パターンを受け取る。１実施態様では、通信サーバは、市販のウェブサイト、専用ネットワーク、または照明パターンを提供できる任意の他の中央に位置する通信装置である。１実施態様では、通信サーバが特定のユニバーサルリソースロケータ（ＵＲＬ）を介する専用ウェブサイトを始めとする中央通信サーバである場合、ユーザはインターネットを介してウェブサイトにログオンし、携帯装置に提供される照明パターンを選択することが可能である。１実施態様では、携帯装置が無線装置である場合、照明パターンは通信送信によって提供され得る。あるいは、携帯装置が有線装置また非通信装置である場合、照明パターンはｅｍａｉｌアドレスを始めとする中央の位置を通じて提供され得る。その結果、一旦携帯装置が中央サーバと通信すると、照明パターンは携帯装置に特定的に提供され得る。
【００２０】
方法の次のステップは、ステップ１８４で照明パターンをメモリに格納することを含む。例えば、図４はメモリ１５４を示す。照明パターンは、照明パターンメモリの表示のた
めの１または複数の照明パターンと共に、メモリ１５４に表示される。次に、ステップ１８６で、方法は照明パターンの活動との関連付けを提供することを含む。１実施態様では、これはメニューまたは他の対話型装置によるユーザインタフェースの起動を通じて遂行され得る。その結果、ユーザインタフェースを通じて、ユーザは照明パターンを特定の活動と選択的に関連付けることが可能となる。例えば、ユーザは、特定の発呼者識別情報と関連付けられる選択された照明パターンを選択することが可能であり、別の例では、メッセージが特定の送信機から受け取られる場合に、選択された照明パターンを選択することが可能である。
【００２１】
次のステップは、ステップ１８８で、照明パターンを読み取ることである。上述したように、プロセッサ１０２は照明パターンを読み取り、その後、ステップ２９０で、少なくとも１つの照明領域を第１の頻度と第１の色で選択的に活動化することが可能である。さらに、照明パターンに従って、プロセッサ１０２は、ステップ１９２で、少なくとも１つの照明領域を、第２の頻度と第２の色でさらに活動化することが可能である。一旦照明パターン１０８内のコマンドがすべて実行されると、方法はステップ１９４で終了する。
【００２２】
図７は、番号キーパッド２１２、表示画面２１４、音声受信機２１６、スピーカ２１８および操作パッド２２０を有する、携帯装置２１０の例を示す。図３に関して、携帯装置２１０は、番号キーパッド２１２、音声受信機２１６または操作パッド２２０であるユーザインタフェース１０２と、モニタ２１４またはスピーカ２１８のいずれかである表示装置１４０とを含み得る。見えていないが、電話２１０は、符号１０８のような入力信号を受け取ることができ、その後、照明パターンを構成することができる、プロセッサ１０４に類似のプロセッサを含む。
【００２３】
携帯装置２１０はさらに４つの照明領域、すなわちキーパッド領域２２２、ディスプレイ領域２２４、周辺領域２２６、および操作ボタン領域２２８を含む。当業者に理解されるように、携帯装置２１０は、指定領域内のサブ領域、例えばキーパッドボタンのパターンのような照明領域をさらに含んでもよい。１実施態様では、各キーパッドボタンが別個の照明領域として指定されてもよいし、あるいは複数のボタンが特定の照明領域とみなされるようにグループ化されてもよい。
【００２４】
活動化されると、符号２２０−２２６のような種々の照明領域が所定の期間選択的に活動化および非活動化され、所定の色で活動化され得る。携帯装置２１０は、装置２１０内に配置されたプロセッサ（図示しない）により照明パターンを読み取り、その照明パターンを実行することにより（１０８）、照明パターンの表示を提供し得る。
【００２５】
図８に示すように、別の実施態様によれば、携帯装置１００は先に論じたように、照明パターンをメッセージシステム内のコンテンツとして組込むために利用され得る。１実施態様では、携帯装置１００は、キーパッド、キーボード、電子書き込み装置、スピーカまたは入力信号を受け取ることができる他の適切な装置であり得る入力装置２４０を含む。
【００２６】
入力装置２４０は１または複数の入力信号を受け取って電子メッセージ２４２を生成する。当業者に理解されるように、一部の電子メッセージシステムでは、様々な文字、数、および記号を使用した速記またはスラングが使用され、したがって、電子メッセージは電子メッセージ２４２を作成するための一つの入力または複数の入力信号の組み合わせであり得る。電子メッセージ２４２は、その後、プロセッサ１０２のようなプロセッサ２４４に提供される。
【００２７】
プロセッサ２４４はさらにディスプレイ２４６に結合されて動作し、プロセッサ２４４は、携帯装置１００を操作し入力装置２４０を使用して電子メッセージ２４２を入力して
いるエンドユーザからの視覚フィードバックを得るために、表示信号２４８をディスプレイ２４６に提供する。入力装置２４０はさらにメモリ２５０と結合されて動作し、メモリ２５０は１または複数の照明パターンを格納することが可能である。メモリは、メモリ１５４と類似するものである。
【００２８】
エンドユーザは入力装置２４０を介して照明パターン選択信号２５２を入力することができ、これはメモリ２５０に提供される。メモリ２５０は、照明パターン選択信号２５２に対応する照明パターン２５４をプロセッサ２４４に提供する。当業者に理解されるように、照明パターンは、照明パターンソースコード、ユニバーサルリソースロケータ、照明パターン識別子、および選択された照明パターンを示すかまたは表す任意の他の適切な表現であってよい。ユニバーサルリソースロケータは、サービス・プロバイダのサーバ（図示しない）に格納されているような、照明パターンの特定位置の表示であってもよい。さらに、照明パターンは、携帯装置１００上にローカルに格納されてもよいし、または携帯装置１００の外部に格納されてもよい。
【００２９】
プロセッサ２４４は、１実施態様では、照明パターン２５４を電子メッセージ２４２と関連付けて、メッセージと照明パターンの組み合わせ信号２５６を生成する。この信号２５６は送信機２５８に提供され、その後、アンテナ２６０を介して受信者装置（図示しない）に送信され得る。１実施態様では、受信者装置は、図４に示した装置と類似し、照明パターンは抽出、実行され、その後照明パターンが表示され得る。
【００３０】
図９は、照明パターンを電子メッセージと関連付ける方法の１実施態様のステップを示す。方法はステップ２７０で開始し、電子メッセージが生成される（２７２）。上述したように、この電子メッセージ２４２は入力装置２４０を使用して生成され得る。
【００３１】
次のステップであるステップ２７４は、照明パターンを選択することを含む。  再び図８を参照すると、照明パターン２５４はメモリ２５０から提供される。方法は、ステップ２７６で、照明パターンを電子メッセージと関連付けることを含む。その後、電子メッセージはステップ２７８で受信者装置に送信され、方法はステップ２８０で終了する。
【００３２】
上述したように、１実施態様では、電子メッセージおよび照明パターン２５４の送信はメッセージシステム内に存在してもよい。他の利用可能なシステムの中でも特に、携帯装置１００は、ＳＭＳ、ＥＭＳまたはＭＭＳを使用して動作し得る。さらに、携帯装置１００の観点から、携帯装置は、照明パターンを選択するために、照明パターン選択信号２５２を始めとする第１の入力信号を受け取り得ると共に、受信機装置を選択するために、例示のために挙げると固有のアドレスまたは電話番号により、別の携帯装置の参照のような第２の入力信号（図示しない）も受け取り得る。さらに、携帯装置１００は、照明パターン２５４に関連付けられた電子メッセージを生成するために、入力装置２４０でメッセージ信号２４２を始めとするメッセージ入力信号をも受け取り得る。
【００３３】
１実施態様では、照明パターン２５４は、電子メッセージ２４２なしで送信され、照明パターン２５４は送信コンテンツを表わす。この実施態様では、照明パターンが、色および照明パターンの他の要因に基づいて感情を表現または伝達するために利用され得る。
【００３４】
結果として、携帯装置は照明パターンを利用して選択的に個人化され得る。特定のパターンは、携帯装置により実行される特定の活動によりさらに個人化されてもよいし、特定のパターンはさらに、適切な色照明パターンでのメッセージの送信（例えばバレンタインデーは赤色、聖パトリックデーは緑色）のような、照明パターンと色のコーディネートによるより高いレベルの相互作用の表示を提供してもよい。
【００３５】
本発明とその種々の態様には他の変更物および修正物の他の実施態様が存在し、当業者には容易に理解されるように、本発明はここで説明した特定の実施態様により制限されない。例えば、携帯装置は任意の数の照明領域を含んでもよく、各領域はメインプロセッサにより中央制御されてもよいし、あるいは各領域は照明を提供するための光源の選択的な活動化および不活動化用の専用のプロセッサを含んでもよい。したがって、本明細書に開示され、特許請求の範囲に記載された根本原理の趣旨および範囲内にある任意のすべての修正物、変更物、または均等物は、本発明により想定され、包含される。
【図面の簡単な説明】
【００３６】
【図１】照明パターンを表示することができる携帯装置の例。
【図２】照明パターンを表示する方法の例。
【図３】照明パターンを表示する方法の別例。
【図４】照明パターンを表示することができる携帯装置の別例。
【図５】照明パターンを表示することができる携帯装置の別例。
【図６】照明パターンを表示する方法の別例。
【図７】照明パターンを表示することができる携帯装置の別の実施態様。
【図８】照明パターンを表示することができる携帯装置の別の実施態様。
【図９】照明パターンを電子メッセージと関連付ける方法の例。
【図１】
2006512852.tif 000003
【図２】
2006512852.tif 000004
【図３】
2006512852.tif 000005
【図４】
2006512852.tif 000006
【図５】
2006512852.tif 000007
【図６】
2006512852.tif 000008
【図７】
2006512852.tif 000009
【図８】
2006512852.tif 000010
【図９】
2006512852.tif 000011
【国際調査報告】
2006512852.tif 000012